(57)【要約】【課題】放電管の半田付けや圧入を必要とせず、電極端子への放電管の接続を容易に行うことのできるストロボ装置を提供する。【解決手段】各電極端子３に放電管１の電極１ａに接続される電極接続部３ｃを設け、外装部材５をハウジング４に装着すると、外装部材５の凹部５ｅが各電極端子３の電極接続部３ｃに当接して電極接続部３ｃを放電管１の電極１ａを挟持する方向に変位させるようにしたので、外装部材５をハウジング４に装着することによって放電管１の電極１ａと電極接続部３ｃとの接続を完了することができ、半田付けや圧入を必要とせずに接続作業を極めて容易に行うことができる。【選択図】図９
2010102103.tif 000002
【特許請求の範囲】
【請求項１】
長手方向両端にそれぞれ電極を有する放電管と、放電管の光を前方に反射する反射部材と、放電管の各電極にそれぞれ接続される一対の電極端子とを備えたストロボ装置において、
前記各電極端子に放電管の電極に接続される電極接続部を設け、
電極接続部を他の部品との接触により放電管の電極を挟持する方向に変位可能に形成した
ことを特徴とするストロボ装置。
【請求項２】
前記各電極端子の一端側が固定され、放電管及び各電極端子の電極接続部が配置されるハウジングと、
ハウジングに装着される外装部材とを備え、
外装部材をハウジングに装着すると、外装部材に設けた当接部が各電極端子の電極接続部に当接して電極接続部を放電管の電極を挟持する方向に変位させるように構成した
ことを特徴とする請求項１記載のストロボ装置。
【請求項３】
前記各電極端子の他端側が固定され、各電極端子を介してハウジングを保持する保持部材を備え、
各電極端子の一端側と他端側との間に所定方向に弾性変形可能な可動部を設けた
ことを特徴とする請求項２記載のストロボ装置。
【請求項４】
前記保持部材に取付けられ、放電管にトリガー電圧を印加するトリガーコイルと、
先端側を保持部材のトリガーコイルに接続され、放電管に接触する反射部材から保持部材側に延びるトリガー入力端子とを備え、
トリガー入力端子の先端側と反射部材との間に所定方向に弾性変形可能な可動部を設けた
ことを特徴とする請求項３記載のストロボ装置。
【請求項５】
前記トリガー入力端子を反射部材と一体に形成した
ことを特徴とする請求項４記載のストロボ装置。
【発明の詳細な説明】
【技術分野】
【０００１】
本発明は、例えばデジタルカメラ、ビデオカメラ、カメラ付き携帯電話機等に搭載されるストロボ装置に関するものである。
【背景技術】
【０００２】
従来、この種のストロボ装置としては、長手方向両端にそれぞれ電極を有する放電管と、放電管の光を前方に反射する反射部材と、放電管にトリガー電圧を印加するトリガーコイルとを備え、放電管の各電極間に所定の電圧を印加するとともに、放電管に反射部材を介してトリガー電圧を印加することにより、放電管を発光させるようにしたものが知られている（例えば、特許文献１参照。）。
【特許文献１】特開平１１−２１８８０７号公報
【発明の開示】
【発明が解決しようとする課題】
【０００３】
ところで、前記ストロボ装置では、放電管の各電極をそれぞれ一対の電極端子に半田付けすることにより、放電管を接続するようにしているが、放電管の半田付けは手作業によって行われるため、作業性が悪く、生産性を低下させるという問題点があった。また、互いに対向する接続部間に放電管の電極を圧入することにより、半田付けすることなく放電管を接続するようにしたものもあるが、この場合は放電管に電極圧入時の負荷が加わり、放電管の破損を生ずるおそれがあった。
【０００４】
本発明は前記問題点に鑑みてなされたものであり、その目的とするところは、放電管の半田付けや圧入を必要とせず、電極端子への放電管の接続を容易に行うことのできるストロボ装置を提供することにある。
【課題を解決するための手段】
【０００５】
本発明は前記目的を達成するために、長手方向両端にそれぞれ電極を有する放電管と、放電管の光を前方に反射する反射部材と、放電管の各電極にそれぞれ接続される一対の電極端子とを備えたストロボ装置において、前記各電極端子に放電管の電極に接続される電極接続部を設け、電極接続部を他の部品との接触により放電管の電極を挟持する方向に変位可能に形成している。
【０００６】
これにより、電極端子の電極接続部が他の部品との接触により放電管の電極を挟持する方向に変位することから、電極端子に放電管の電極を接続する際、半田付けや圧入を必要としない。
【発明の効果】
【０００７】
本発明によれば、電極端子に放電管の電極を接続する際、半田付けや圧入を必要としないので、接続作業を極めて容易に行うことができる。
【発明を実施するための最良の形態】
【０００８】
図１乃至図１１は本発明の一実施形態を示すもので、図１はストロボ装置の正面側斜視図、図２はその背面側斜視図、図３乃至図７はその一部を示す分解斜視図、図８はその分解斜視図、図９は放電管と端子との接続工程を示す側面断面図、図１０はストロボ装置の一部側面断面図、図１１はその一部底面断面図である。
【０００９】
このストロボ装置は、所定の電圧を印加することにより放電発光する放電管１と、放電管１の光を前方に反射する反射部材２と、放電管１に接続される一対の電極端子３と、放電管１を収容するハウジング４と、ハウジング４を覆う外装部材５と、放電管１にトリガー電圧を出力するトリガーコイル６と、反射部材２に一体に形成されたトリガー入力端子７と、各電極端子３を介してハウジング３を保持する保持部材８とから構成されている。
【００１０】
放電管１はキセノンガスを封入した周知のキセノン管からなり、長手方向両端にはそれぞれ陽極と陰極をなす一対の電極１ａが設けられている。
【００１１】
反射部材２は導電性の金属板を曲げ加工してなり、放電管１の背面側に配置される。反射部材２は、放電管１の背面側外周面に沿って凹曲面をなす反射面部２ａを有し、反射面部２ａの両端側には放電管１の外周面に接触する弾性変形可能な接触片２ｂが設けられている。反射部材２の背面側には保持部材８に係合する上下一対の係合片２ｃが幅方向二箇所に設けられ、各係合片２ｃには係合孔２ｄが設けられている。また、反射部材２の幅方向両側には、ハウジング３に固定される固定片２ｅが上下一対ずつ設けられている。
【００１２】
各電極端子３は導電性の金属板からなり、その一端側をハウジング３に固定され、他端側を保持部材８に固定されるようになっている。電極端子３は、ハウジング３に固定される第１の固定片３ａと、保持部材８に固定される第２の固定片３ｂとを有し、第１の固定片３ａの前端には放電管１の各電極１ａに接続される電極接続部３ｃが設けられている。電極接続部３ｃは上下一対の二股状に形成され、その上端側及び下端側はそれぞれ上方及び下方に山形をなすように屈曲している。第１の固定片３ａと第２の固定片３ｂとの間には、前後方向、幅方向及び上下方向に弾性変形可能な可動部３ｄが設けられ、可動部３ｄはＳ字状に屈曲するように形成されている。また、第２の固定片３ｂの下端には図示しない基板に接続される基板接続部３ｅが設けられている。
【００１３】
ハウジング４は合成樹脂の成型品からなり、その前面には背面側に貫通する横長の開口部４ａが設けられている。開口部４ａは放電管１の光を前方に放出するためのもので、その内面及び周縁には光反射性の樹脂メッキが施されている。ハウジング４の両側面には外装部材５に係合する凸部４ｂが設けられ、凸部４ｂは後端側を除いて前端まで延びるように形成されている。また、ハウジング４の両側部には電極端子３の第１の固定片３ａが圧入される溝４ｃが設けられ、溝４ｃは電極端子３の電極接続部３ｃの上端側及び下端側を凸部４ｂの上面及び下面から外部に突出させるように開口している。また、ハウジング４の上面及び下面には外装部材４と係合する突起４ｄが幅方向二箇所ずつ設けられ、ハウジング４の背面側には反射部材２の各固定片２ｅが圧入される孔（図示せず）が設けられている。
【００１４】
外装部材５は透明な合成樹脂の成型品からなり、その背面はハウジング４を挿入されるように開口している。外装部材５の前面にはレンズ部５ａが前方にやや突出するように設けられ、レンズ部５ａはハウジング４の開口部４ａに対応するように横長に形成されている。外装部材５の上面及び下面にはハウジング４の各突起４ｄと係合する孔５ｂが幅方向二箇所ずつ設けられ、外装部材５の両側面には後端側を開放した切り欠き５ｃが設けられている。また、外装部材５の内側面にはハウジング４の凸部４ｂと係合する凹部５ｄが設けられ、凹部５ｄは後端側を開放するように形成されている。この場合、凹部５ｄは、後述する組立工程で電極端子３の電極接続部３ｃに当接する当接部をなす。
【００１５】
トリガーコイル６は、反射部材２に接する放電管１の外周面に高電圧を印加する周知のコイルからなり、保持部材８の背面側に取付けられている。トリガーコイル６は、前方に延びる板状の出力端子６ａと、背面側から下方に延びる一対の入力端子６ｂとを有し、各入力端子６ｂは図示しない基板に接続されるようになっている。また、トリガーコイル６の幅方向両側には保持部材８に固定される固定片６ｃが設けられ、各固定片６ｃは前方に延びるように形成されている。
【００１６】
トリガー入力端子７は、先端にトリガーコイル６の出力端子６ａに接続される端子接続部７ａを有し、端子接続部７ａと反射部材２との間には、前後方向、幅方向及び上下方向に弾性変形可能な可動部７ｂが設けられている。可動部７ｂはＳ字状に屈曲するように形成され、端子接続部７ａの後端から端子接続部７ａの下方を介して反射部材２まで前方に向かって延びるように形成されている。
【００１７】
保持部材８は合成樹脂の成型品からなり、その幅方向両側には、電極端子３の第２の固定片３ｂが圧入される溝８ａと、電極端子３の可動部３ｄが配置される縦長の孔８ｂとが互いに連通するように設けられている。保持部材８の上端側には、トリガー入力端子７の可動部７ｂが配置される横長の孔８ｃが設けられ、孔８ｃの幅方向両側にはトリガー入力端子７の端子接続部７ａが圧入される溝８ｄが設けられている。保持部材８の前面には前方に突出する突出部８ｅが設けられ、突出部８ｅの上面及び下面には反射部材２の係合孔２ｄと係合する突起８ｆが幅方向二箇所ずつ設けられている。保持部材８の背面にはトリガーコイル６の出力端子６ａが挿入される孔８ｇが設けられ、孔８ｇは可動部７ｂ用の孔８ｃに連通している。また、保持部材８の背面にはトリガーコイル６が配置される凹部８ｈが設けられ、凹部８ｈ内の幅方向両側にはトリガーコイル６の固定片６ｃが圧入される孔８ｉが設けられている。
【００１８】
以上の構成からなるストロボ装置を組立てる場合は、まず、図３に示すように放電管１を反射部材２の前方に配置し、反射部材２の各固定片２ｅをハウジング４の背面側の孔（図示せず）に後方から圧入することにより、反射部材２をハウジング４に固定する。その際、反射部材２の各接触片２ｂが放電管１の外周面に圧接する。次に、図４に示すようにハウジング４の各溝４ｃに各電極端子３の第１の固定片３ａを後方から圧入することにより、各電極端子３をハウジング４に固定する。その際、放電管１の電極１ａが電極接続部３ｃの上側と下側の間に配置される。
【００１９】
続いて、図５に示すようにハウジング４を外装部材５内に後方から挿入し、ハウジング４の凸部４ｂに外装部材５の凹部５ｄを係合する。その際、図９(a) に示すように電極端子３の電極接続部３ｃは上端側及び下端側が凸部４ｂの溝４ｃの上面及び下面から上方及び下方に突出しているため、凸部４ｂを凹部５ｅ内に挿入すると、図９(b) に示すように凹部５ｅ内の上面及び下面が電極接続部３ｃの上端側及び下端側に当接し、電極接続部３ｃが凸部４ｂ内に押し込まれる。これにより、電極接続部３ｃの上側と下側が放電管１の電極１ａに圧接し、放電管１の電極１ａが電極接続部３ｃによって挟持される。また、前述のように外装部材５をハウジング４に装着すると、ハウジング４の各突起４ｄが外装部材５の各孔５ｂに嵌合し、外装部材５がハウジング４に固定される。次に、図６及び図７に示すようにトリガーコイル６の出力端子６ａを保持部材８の孔８ｇに挿入するとともに、トリガーコイル６の各固定片６ｃを保持部材８の各孔８ｉに圧入することにより、トリガーコイル６を保持部材８の背面の凹部８ｈに固定する。
【００２０】
そして、図８に示すように各電極端子３の第２の固定片３ｂを保持部材８の各溝８ａに圧入するとともに、トリガー入力端子７の端子接続部７ａを保持部材８の各溝８ｄに圧入することにより、各電極端子３及びトリガー入力端子７を保持部材８に固定する。これにより、ハウジング４が各電極端子３及びトリガー入力端子７を介して保持部材８に保持されるとともに、トリガー入力端子７の端子接続部７ａがトリガーコイル６の出力端子６ａに接続される。その際、図１０及び図１１に示すように電極端子３の可動部３ｄとトリガー入力端子７の可動部７ｂがそれぞれ保持部材８の孔８ｂ，８ｃ内に前後方向、幅方向及び上下方向に変位可能に配置されることから、ハウジング４が保持部材８に同方向に移動自在に保持される。
【００２１】
このように、本実施形態のストロボ装置によれば、各電極端子３に放電管１の電極１ａに接続される電極接続部３ｃを設け、電極接続部３ｃを他の部品との接触により放電管１の電極１ａを挟持する方向に変位させるようにしたので、各電極端子３に放電管１の電極１ａを接続する際、半田付けや圧入を必要とせず、接続作業を極めて容易に行うことができる。
【００２２】
この場合、外装部材５をハウジング４に装着すると、外装部材５の凹部５ｅが各電極端子３の電極接続部３ｃに当接して電極接続部３ｃを放電管１の電極１ａを挟持する方向に変位させるようにしたので、外装部材５をハウジング４に装着することによって放電管１の電極１ａと電極接続部３ｃとの接続を完了することができ、接続作業をより容易且つ確実に行うことができる。
【００２３】
また、各電極端子３を介してハウジング４を保持する保持部材８を備え、各電極端子３の一端側と他端側との間に設けた弾性変形可能な可動部３ｄにより、ハウジング４を保持部材８に対して前後方向、幅方向及び上下方向に移動可能に保持するようにしたので、例えばカメラ本体や基板等に組付ける際、ハウジング４と保持部材８との位置ずれを吸収することができ、組付作業を容易に行うことができる。
【００２４】
更に、トリガーコイル６を保持部材８に取付けるとともに、反射部材２から保持部材８側に延びるトリガー入力端子７の先端に設けた端子接続部７ａをトリガーコイル６に接続し、トリガー入力端子７の端子接続部７ａと反射部材２との間に前後方向、幅方向及び上下方向に弾性変形可能な可動部７ｂを設けたので、前述と同様、ハウジング４と保持部材８との位置ずれを吸収することができる。
【００２５】
この場合、トリガー入力端子７を反射部材２と一体に形成したので、部品点数を少なくすることができるとともに、トリガー入力端子７と反射部材２との間の導通不良を確実に防止することができる。
【図面の簡単な説明】
【００２６】
【図１】本発明の一実施形態を示すストロボ装置の正面側斜視図
【図２】ストロボ装置の背面側斜視図
【図３】ストロボ装置の一部を示す分解斜視図
【図４】ストロボ装置の一部を示す分解斜視図
【図５】ストロボ装置の一部を示す分解斜視図
【図６】ストロボ装置の一部を示す分解斜視図
【図７】ストロボ装置の一部を示す分解斜視図
【図８】ストロボ装置の分解斜視図
【図９】放電管と端子との接続工程を示す側面断面図
【図１０】ストロボ装置の一部側面断面図
【図１１】ストロボ装置の一部底面断面図
【符号の説明】
【００２７】
１…放電管、１ａ…電極、２…反射部材、３…電極端子、３ｃ…電極接続部、３ｄ…可動部、４…ハウジング、５…外装部材、５ｅ…凹部、６…トリガーコイル、７…トリガー入力端子、７ｂ…可動部、８…保持部材。
【図１】
2010102103.tif 000003
【図２】
2010102103.tif 000004
【図３】
2010102103.tif 000005
【図４】
2010102103.tif 000006
【図５】
2010102103.tif 000007
【図６】
2010102103.tif 000008
【図７】
2010102103.tif 000009
【図８】
2010102103.tif 000010
【図９】
2010102103.tif 000011
【図１０】
2010102103.tif 000012
【図１１】
2010102103.tif 000013